(57)【特許請求の範囲】
【請求項１】
作業機内の内燃機関の回転に同期して発電コイルが発生した誘起電圧を点火用充放電コンデンサに充電し、この点火用充放電コンデンサからの放電電流を一定のタイミングで点火コイルを介して点火プラグに出力する点火制御回路を持った点火装置を有する作業機に着脱可能に取り付けられ、前記点火装置より発生する点火パルスを検出し、前記内燃機関の作動時間を積算する内燃機関の積算時間計において、前記点火パルスを前記点火装置の外へ迂回させる点火装置内の一部と、該点火装置内の一部の途中に介在され、作業機に対する前記着脱に応じてそれぞれ前記発電コイルから点火用充放電コンデンサへの誘起電圧の供給、遮断をするように連結または連結解除可能なコネクタと、前記点火装置内の一部を流れる点火パルスを電磁誘導するパルス誘導手段と、該パルス誘導手段で電磁誘導したパルスの波形を整形する波形整形手段と、該波形整形手段の出力パルスが前記内燃機関の作動によるものであるか否かを判定する判定手段と、該判定手段で判定された前記出力パルスにもとづいて、前記内燃機関の作動開始当初からの作動時間を計数および記憶する計数記憶手段と、該計数記憶手段で計数された作動時間を表示する表示手段とを設けたことを特徴とする内燃機関の積算時間計 。
【請求項２】
作業機内の内燃機関の回転に同期して発電コイルが発生した誘起電圧を点火用充放電コンデンサに充電し、この点火用充放電コンデンサからの放電電流を一定のタイミングで点火コイルを介して点火プラグに出力する点火制御回路を持った点火装置を有する作業機に着脱可能に取り付けられ、前記点火装置より発生する点火パルスを検出し、前記内燃機関の作動時間を積算する内燃機関の積算時間計 において、前記点火パルスを前記点火装置の外へ迂回させる点火装置内の一部と、該点火装置内の一部の途中に介在され、作業機に対する前記着脱に応じてそれぞれ前記発電コイルから点火用充放電コンデンサへの誘起電圧の供給、遮断をするように連結または連結解除可能なコネクタと、前記点火装置内の一部を流れる点火パルスを電磁誘導するパルス誘導手段と、該パルス誘導手段で電磁誘導したパルスの波形を整形する波形整形手段と、該波形整形手段の出力パルスが前記内燃機関の作動によるものであるか否かを判定する判定手段と、該判定手段で判定された前記出力パルスにもとづいて、前記内燃機関の作動開始当初からの作動時間を計数および記憶する第１の計数記憶手段と、前記判定手段で判定された前記出力パルスにもとづいて、リセット操作により任意に設定した時点からの内燃機関の作動時間を計測および記憶する第２の計数記憶手段と、前記第１の計数記憶手段または第２の計数記憶手段で計数された作動時間を表示する表示手段とを設けたことを特徴とする内燃機関の積算時間計 。
【請求項３】
パルス誘導手段および該パルス誘導手段が誘導したパルスを処理するパルス処理回路を設けたプリント基板上に、点火装置内の一部をマウントしたことを特徴とする請求項１または請求項２に記載の内燃機関の積算時間計 。
【請求項４】
前記誘起電圧を点火用充放電コンデンサへ導入する回路を分断するように設けられたリード線と、前記点火パルスを迂回させる点火装置内の一部のリード線とが、前記コネクタを介して連結または連結解除可能であることを特徴とする請求項１または請求項２に記載の内燃機関の積算時間計。
【発明の詳細な説明】
【０００１】
【産業上の利用分野】
この発明は、内燃機関を動力源とするチェンソーや草刈機などの作業機などに設けられ、これらの内燃機関や作業機の保守，点検などのメンテナンス用として使用される内燃機関の積算時間計および積算時間計ユニットに関する。
【０００２】
【従来の技術】
従来より提供されている内燃機関を動力源とするチェンソーあるいは草刈機などの作業機には、自動車やオートバイなどの保守，点検等に使用される積算距離計に相当するものは何ら設けられていない。すなわち、前記作業機の使用時間や内燃機関の運転時間の積算値を知ることができないものであった。
【０００３】
このため、前記作業機や内燃機関の保守，点検などのメンテナンスは、使用者が任意に決めた時期および回数ごとになされたり、あるいは全く行われない場合があるために、前記作業機や内燃機関がメンテナンスの不十分により突然故障して、使用不能に陥ったり、部品の破壊などを原因とする人身事故を引き起こすなどの問題点があった。
【０００４】
一方、前記のようなメンテナンスの不十分さや不完全を回避するために、作業機自体に後付けにて積算時間計を着脱可能に取り付けられるようにし、これによりその作業機や内燃機関の使用当初からの積算時間を計数および記憶させて、これを表示するものが提供されるに及んでいる。
【０００５】
【発明が解決しようとする課題】
しかしながら、このような着脱可能な積算時間計は、使用者の勝手な判断などにより前記作業機より取り外されてしまう場合があり、このような積算時間計を再び作業機に装着して作業を行うと、前記積算時間計が取り外されている時間中の使用時間が積算されないため、前記作業機や内燃機関の使用開始当初からの積算時間を正確に計数，記憶および表示させることができないという問題点があった。
【０００６】
請求項１の発明は前記のような従来の問題点を解消するためになされたもので、作業機に装着されて、内燃機関が実稼働したときのみ、内燃機関の作業開始当初からの積算時間を確実かつ正確に計数および記憶して表示することができ、また、前記作業機や内燃機関の保守，点検などのメンテナンスを、信頼性の高い正確な積算時間のデータを基に実施でき、さらに簡単かつ安価に構成できる内燃機関の積算時間計を提供することを目的とする。
【０００７】
請求項２の発明は任意に設定した時点からの内燃機関の作業時間を、内燃機関の作動開始当初からの作動時間とは別に計数して、これらを選択的に表示することができる内燃機関の積算時間計を得ることを目的とする。
【０００８】
請求項３の発明は点火装置内の一部とともにパルス処理回路を同一プリント基板に載せることで、全体の形状をコンパクトにまとめて、ローコスト化できる内燃機関の積算時間計を得ることを目的とする。
【００１２】
請求項４の発明は点火装置が出力するパルスをリード線を介して直接積算時間計に取り込むことで、積算時間の計測を高感度にて実現できる内燃機関の積算時間計を得ることを目的とする。
【００１３】
【課題を解決するための手段】
請求項１の発明にかかる内燃機関の積算時間計 は、点火パルスを点火装置の外へ迂回させる点火装置内の一部と、該点火装置内の一部の途中に介在され、作業機に対する前記着脱に応じてそれぞれ発電コイルから点火用充放電コンデンサへの誘起電圧の供給、遮断をするように連結または連結解除可能なコネクタと、前記点火装置内の一部を流れる点火パルスを電磁誘導するパルス誘導手段と、該パルス誘導手段で電磁誘導したパルスの波形を整形する波形整形手段と、該波形整形手段の出力パルスが内燃機関の作動によるものであるか否かを判定する判定手段とを設けて、該判定手段で判定された前記出力パルスにもとづいて、計数記憶手段に、前記内燃機関の作動開始当初からの作動時間を計数および記憶させ、該計数記憶手段で計数された作動時間を、表示手段に表示させるようにしたものである。
【００１４】
請求項２の発明にかかる内燃機関の積算時間計 は、点火パルスを点火装置の外へ迂回される点火装置内の一部と、該点火装置内の一部の途中に介在され、作業機に対する前記着脱に応じてそれぞれ前記発電コイルから点火用充放電コンデンサへの誘起電圧の供給、遮断をするように連結または連結解除可能なコネクタと、前記点火装置内の一部を流れる点火パルスを電磁誘導するパルス誘導手段と、該パルス誘導手段で電磁誘導したパルスの波形を整形する波形整形手段と、該波形整形手段の出力パルスが内燃機関の作動によるものであるか否かを判定する判定手段とを設けて、該判定手段で判定された前記出力パルスにもとづいて、第１の計数記憶手段に、前記内燃機関の作動開始当初からの作動時間を計数および記憶させ、前記判定手段で判定された前記出力パルスにもとづいて、第２の計数記憶手段に、リセット操作により任意に設定した時点からの内燃機関の作動時間を計測および記憶させ、前記第１の計数記憶手段または第２の計数記憶手段で計数された作動時間を、表示手段に表示させるようにしたものである。
【００１５】
請求項３の発明にかかる内燃機関の積算時間計は、パルス誘導手段および該パルス誘導手段が誘導したパルスを処理するパルス処理回路を設けたプリント基板上に、点火装置内の一部をマウントするようにしたものである。
【００１９】
請求項４の発明にかかる内燃機関の積算時間計 は、前記誘起電圧を点火用充放電コンデンサへ導入する回路を分断するように設けられたリード線と、前記点火パルスを迂回させる点火装置内の一部のリード線とを、前記コネクタを介して連結または連結解除可能したものである。
【００２０】
【作用】
請求項１の発明における内燃機関の積算時間計は、作業機内の点火装置内の残部と点火装置内の一部をコネクタを介して電気的に接続することで、前記作業機や内燃機関が実稼働したときのみ、パルス誘導手段で前記点火装置内の一部を流れる点火パルスを検出し、波形整形手段でそのパルス誘導手段が検出したパルスを波形整形し、その波形整形出力が単位時間ごとに得られたか否かを判定し、計数記憶手段で内燃機関の作動開始当初からの積算時間を確実かつ正確に計数および記憶し、さらに、表示手段で前記計数手段で記憶した積算時間である計数値を表示する。
【００２１】
請求項２の発明における内燃機関の積算時間計は、作業機内の点火装置内の残部と点火装置内の一部をコネクタを介して電気的に接続することで、前記作業機や内燃機関が実稼働したときのみ、パルス誘導手段で前記点火装置内の一部を流れる点火パルスを検出し、波形整形手段でそのパルス誘導手段が検出したパルスを波形整形し、その波形整形出力が単位ごとに得られたか否かを判定手段にて判定し、第１の計数記憶手段で使用開始当初からの積算時間を、また、使用者がリセット手段を操作することで第２の計数記憶手段により使用者が任意に設定した時点からの積算時間を、それぞれ確実かつ正確に計数および記憶し、表示手段で前記第１の計数記憶手段および第２の計数記憶手段で記憶したそれぞれの積算時間である計数値を表示する。
【００２２】
請求項３の発明における内燃機関の積算時間計は、点火装置内の一部を、積算時間計のプリント基板上にマウントすることで、わざわざプリント基板を２つ用意する必要をなくし、積算時間計本体をより小型化および安価化する。
【００２６】
請求項４における内燃機関の積層時間計は、リード線を介して点火装置から直接積算時間計のパルス検出部に点火パルスを取り込むことで、十分なレベルのパルスデータにもとづき高感度かつ確実に積算時間計測処理を実行可能にする。
【００２７】
【実施例】
以下に、この発明の一実施例を図について説明する。図１はこの発明の積算時間計の全体を示すブロック図を示し、同図において、１は積算時間計、２はこの積算時間計１に接続される点火装置内の残部であり、積算時間計１はその点火装置内の残部２と接続される点火装置内の一部３を備えている。
【００２８】
また、積算時間計１において、４は点火装置内の一部３に近接配置されて、この点火装置内の一部３に流れる点火パルスを誘導検出する例えば電磁誘導コイルからなるプリントパターン化されたパルス誘導手段、５はこの誘導されたパルス出力の波形を整形する波形整形手段である。
【００２９】
さらに、６は単位時間ごとに前記波形整形出力が得られたか否か、つまり内燃機関が実稼働（作動）しているか否かを判定する判定手段、７はこの判定手段６により判定された正規の波形整形出力にもとづいて、内燃機関の作動開始当初（作業機の使用開始当初）からの積算時間を確実かつ正確に計数しかつ記憶する計数記憶手段である。
【００３０】
また、８は前記計数記憶手段７による計数結果を表示する液晶ディスプレイなどの表示手段である。なお、前記波形整形手段５，判定手段６および計数記憶手段７は、パルス処理回路９を構成している。
【００３１】
図２はこの積算時間計１の具体的構成を一部破断して示す斜視図であり、図において、点火装置内の一部３であるダイオード１０がパルス誘導手段４および前記パルス処理回路９などとともに、同一のプリント基板１１上に取り付けられている。なお、点火装置内の一部３としては必ずしもダイオード１０を含ませる必要はない。
【００３２】
また、パルス処理回路９のブロック上には、図２に示すように、前記表示手段８が配置されている。１２は前記点火装置内の一部３，パルス誘導手段４，パルス処理回路９，プリント基板１１などを収納する積算時間計１のケースで、これの取付片１２ｂには取付ねじ１３を挿入するためのねじ挿通孔１４が設けられている。また、１２ａは表示手段８が外方に臨む開口窓である。
【００３３】
さらに、１５は前記点火装置内の一部３を構成するダイオード１０の両端に接続されたリード線、１６はこれらの各リード線１５端にそれぞれ取り付けられた２つの接続端子としてのコネクタで、これらが点火装置内の残部２側の後述の２つのコネクタにそれぞれ着脱自在に装着可能となっている。
【００３４】
図３はこの発明における内燃機関の点火装置を具体的に示す回路図であり、同図において、２１は内燃機関の回転に同期して回転する磁石，磁極などを有するロータ、２２はロータ２１の回転による前記磁石の近接および隔離によって電圧を誘起する発電コイルである。
【００３５】
また、２３，２４，２５は整流用ダイオード、２６は後述のサイリスタのゲートをトリガする電位を設定する抵抗である。
【００３６】
さらに、２７は点火用充放電コンデンサ、２８はこの点火用充放電コンデンサ２７および前記点火装置内の一部３であるダイオード１０を介して直列接続された点火コイルで、一次コイル２８ａおよび二次コイル２８ｂからなり、二次コイル２８ｂには点火プラグ２９が接続されている。
【００３７】
また、３０はサイリスタで、これが前記抵抗２６を介して点火用充放電コンデンサ２７および点火コイル２８の一次コイル２８ａに順次直列に接続されている。ここで、このサイリスタ３０のゲートはダイオード２４を介して抵抗２６に接続されている。
【００３８】
なお、３１は誘起電圧を点火用充放電コンデンサ２７へ導入する回路を分断するように設けられた一対のリード線で、これらの各リード線３１端には接続端子としてのコネクタ３２が取り付けられており、これらの各コネクタ３２は前記積算時間計１側の各コネクタ１６に、ワンタッチで個別に接続可能となっている。この場合において、点火装置内の一部３であるダイオード１０は方向性を持つため、各コネクタ３２に対する各コネクタ１６の接続を誤らないように、例えばそれぞれ一方を雄コネクタおよび他方を雌コネクタとすることが望ましい。
【００３９】
また、前記のような点火装置内の残部２は前記内燃機関とともに、例えば、図４に示すようなチェンソー４０に設置されており、前記積算時間計１がチェンソー４０に着脱自在に取り付けられている。
【００４０】
このチェンソー４０はソーチェン案内板４１の外周に、前記内燃機関の動力を受けて駆動走行するソーチェーン４２を設けたものからなり、一方、前記積算時間計１のケース１２がチェンソー４０の把手部４３の近傍に、取付ねじ１３によりねじ挿通孔１４を通して着脱自在にねじ込み固定されている。なお、４４はチェンソー４０の把手部４３付近に設けられて、オン操作により点火制御動作を停止させるための、図１にも示すような停止スイッチである。
【００４１】
次に動作について説明する。まず、内燃機関の動作を開始し、ロータ２１を駆動すると、ロータ２１に設けた磁石の磁束を受けて発電コイル２２が誘起電圧の電圧を発生する。
【００４２】
そして、この電圧を点火装置内の一部３である前記ダイオード１０を介して、前記点火用充放電コンデンサ２７を充電する。
【００４３】
また、前記抵抗２６の端子電圧が設定電圧に達すると、前記サイリスタ３０はターンオンし、その点火用充放電コンデンサ２７の電荷を点火コイル２８の一次コイル２８ａに供給する。このため、二次コイル２８ｂには高電圧が誘起され、点火プラグ２９に火花を発生し、この火花によって燃料および空気を含む混合気に点火し、内燃機関の運転を継続することとなる。
【００４４】
一方、このような内燃機関の運転においては、数１００ボルトにも及ぶ誘起電圧を点火用充放電コンデンサ２７へ導入するとともに回路の一部、すなわちダイオード１０を点火装置内の一部３として持つ積算時間計１内に取り込んでいる。このため、点火パルスはダイオード１０を通過する際に、前記パルス誘導手段４にて誘導検出された後、波形整形手段５にて波形整形される。また、この波形整形出力は判定手段６に入力され、単位時間ごとに波形整流手段５からの出力信号が得られたか否か、すなわち前記の点火パルスが内燃機関の作動によるものであるか否かを判定する。
【００４５】
そして、その内燃機関の作動による点火パルスであると判定された場合には、その判定結果を用いて、内燃機関の作動開始（作業機の使用開始）からの作動時間（使用時間）を、計数記憶手段７により計数および記憶して、その計数結果を表示手段８により表示させることとなる。なお、この実施例では発電コイルの誘起電圧を利用したが、さらに電磁誘導作用の効果が大きい点火コイルの二次コイル２８ｂで発生する電圧を検出してもよい。
【００４６】
一方、内燃機関を停止させようとする場合には、前記停止スイッチ４４をオンにする。これにより、発電コイル２２は短絡され、点火用充放電コンデンサ２７への電荷の充電が停止され、前記ダイオード１０に対する点火パルスの供給も停止する。
【００４７】
これにより、内燃機関は停止するとともに、内燃機関の作動開始からの積算時間が計数記憶手段７内に保持され、この積算時間を表示手段８によって常時または任意に表示することができる。
【００４８】
一方、例えば積算時間計１の表示手段８が２００時間を表示したとき、この表示に従って、使用者は作業機各部のボルト，ナットの緩み、点火時期のずれによるパワーダウン、排気ガス量の増加などに対するメンテナンスを施し、次回からの内燃機関および作業機の安全かつ効率的な作動を実現可能にする。
【００４９】
また、前記積算時間計１は作業機である、図４に示すようなチェンソー４０から、何らかの理由、例えば盗難防止や子供のいたずらによる危険を回避するなどの理由により、取り外しが可能となっている。
【００５０】
こうすることで、積算時間計１の前記取り外しによってダイオード１０も点火装置内の残部２から分離されることとなり、従って、誘起電圧の点火用充放電コンデンサ２７に対する充電が阻止され、内燃機関は決して運転されることがなくなる。このとき、積算時間計１も機能しなくなる。
【００５１】
つまり、内燃機関の運転（作業機の使用）時には必ず積算時間計１が装着され、具体的には、図３に示した互いに対応するコネクタ１６，３１どうしを連結することで、その後の内燃機関の作動後においても、内燃機関の作動開始当初からの積算時間を正確かつ自動的に計数して、これを表示手段８に表示させることができる。
【００５２】
なお、前記実施例では、前記積算時間計１を取付ねじ１３などを使用して前記チェンソー４０の本体の適位置に取り付けたが、取り付けの構造としは、ワンタッチ式で着脱できる構成やねじ込み式の構成などを採用してもよい。
【００５３】
また、前記実施例においては、積算時間計１において、ダイオード１０をパルス誘導手段４やパルス処理回路９を載せたプリント基板と同一のプリント基板１１上にマウントすることにより、積算時間計本体の小形化，軽量化を図ることができる。なお、設計上の理由により別々のプリント基板を使用してもいっこうに差し支えはない。
【００５４】
また、図３においてはコンデンサ放電型の点火制御回路を持った点火装置について述べたが、スイッチング用のサイリスタおよびパワートランジスタを用いた電流遮断式の点火制御回路を持った点火装置にも同様に応用できることは言うまでもない。
【００５５】
この電流遮断式の点火制御回路は、例えば点火コイルが誘起する一次短絡電流をパワートランジスタに流し、これを一定のタイミングで遮断することにより、点火コイルの一次側に逆起電力を発生し、かつ二次側に高電圧を発生させて点火プラグに出力するように機能する。
【００５６】
図５はこの発明の他の実施例を示す。これが前述した内燃機関の積算時間計と異なるところは、使用開始当初からの積算時間を第１の計数記憶手段７Ａで確実かつ正確に計数記憶させ、また、使用者がリセット手段５０を操作することで使用者が任意に設定した時点からの積算時間を第２の計数記憶手段７Ｂで確実かつ正確に計数および記憶させるようにした点である。これによれば、それぞれの計数および記憶値を表示手段８で任意かつ選択的に表示させることができ、その他については前記した実施例と同じ動作および効果が得られる。
【００５７】
図６はこの発明の積算時間計の接続構成を示す。これは発電コイル２２，点火コイル２８およびこれらを除く点火制御回路を含む点火装置が前記の一体モールドによってユニットブロックＢとされており、このユニットブロックＢには積算時間計１が一体モールドされていない。ここで、６１はユニットブロックＢ内の発電コイル２２を巻装する鉄心、６５は停止スイッチ用のリード線、６６はプラグキャップを接続するハイテンションケーブルである。
【００５８】
すなわち、この実施例では、ユニットブロックＢ内の点火装置が、リード線６８を介して外部に設置した積算時間計１に連設した点火装置内の一部３に接続されている。なお、この積算時間計１には図１に示すような各種の積算パルス処理回路が設置されている。
【００５９】
この実施例では、積算時間計１を点火装置と一体モールド化するのに不都合な場合、例えば積算時間計１が前記点火装置からの熱やノイズの影響を受けて、動作や信頼性が悪くなる場合や、直接十分なレベルの点火パルスを取り出して高感度の積算処理を実現する必要がある場合などに有効である。
【００６０】
なお、高圧発生に用いられる遮断信号発生用のトリガコイルを持ったコンデンサ放電型の構成としたり、トリガコイルの出力あるいは点火コイルの一次電圧によりサイリスタをスイッチングすることで、点火コイルの一次電流を遮断するパワートランジスタを持った電流遮断型の構成としたりすることは任意である。
【００６１】
すなわち、電流遮断型またはコンデンサ放電型の点火制御回路の一部または全部を上記ユニットブロックＢとして一体構成でき、これを積算時間計と一緒にまたは独立して、上記作業機に対して着脱可能とすることができる。
【００６２】
図７はこの発明の内燃機関の積算時間ユニット構成の一実施例を示す。この実施例では発電コイル２２，点火コイル２８およびこれらを除く点火制御回路からなる点火装置が、図２に示すような積算時間計１とともに熱可塑性樹脂のインジェクションモールドや熱硬化性樹脂（例えば、レジン）の埋め込みモールドにより一体モールド化され、一つのユニットブロックＢとして構成されている。
【００６３】
従って、このユニットブロックＢは前記発電コイル２２を有する鉄心６１に、図６に示すように組み付けられ、この鉄心６１の２つの磁極６２，６３に近接して、複数の磁石６４を一定の間隔にて円周方向に配設したロータ２１が、回転自在に配置されている。
【００６４】
なお、このロータ２１は内燃機関の駆動軸から駆動力を受けて同期回転し、前記発電コイル２２にパルス状の電圧を誘起させるように機能する。
【００６５】
また、６５は前記ユニットブロックから引き出されて、前記停止スイッチ４４に接続される停止スイッチの用リード線、６６は同じく前記ユニットブロックＢ内の点火コイル２８の二次側に接続されて、内燃機関側の点火プラグ２９にプラグキャップ６７を連結するためのハイテンションケーブルである。
【００６６】
かかる構成になる積算時間計ユニットでは、積算時間計と内燃機関の点火装置とを一体モールド化することで、これらを一つのユニットブロックとして取り扱えるようにするとともに、内燃機関の点火制御システム全体の小形化および動作の信頼性の向上を実現できる。
【００６７】
また、図８はこの発明の他の積算時間ユニット構成を示す。これは、図５に示すような第１の計数記憶手段７Ａおよび第２の計数記憶手段７Ｂを有する積算時間計１を、点火装置とともに、一つユニットブロックＢに一体モールド化したものである。
【００６８】
さらに、図８においては、積算時間計１上には図５に示すようなリセットスイッチとしてのリセット手段５０が設けられており、このリセット手段５０も前記ユニットブロックＢ内にモールドされた回路を介して前記第２の計数記憶手段７Ｂに接続されている。
【００６９】
なお、このリセット手段５０の操作によって、第１の計数記憶手段７Ａまたは第２の計数記憶手段７Ｂにそれぞれ記憶された積算時間データを、表示手段８へ選択的に表示可能にする。
【００７０】
従って、この実施例によれば、積算時間計および点火装置とともに、この点火装置による点火動作を停止するリセット手段を一体モールド化することで、点火制御停止機能を持つ点火制御システムを一つのユニットブロックにて実現可能にし、かつ前記点火制御システム全体の小形化および動作の信頼性の向上を実現できる。
【００７１】
【発明の効果】
以上のように、請求項１の発明によれば、点火パルスを点火装置の外へ迂回させる点火装置内の一部と、該点火装置内の一部の途中に介在され、作業機に対する前記着脱に応じてそれぞれ発電コイルから点火用充放電コンデンサへの誘起電圧の供給、遮断をするように連結または連結解除可能なコネクタと、前記点火装置内の一部を流れる点火パルスを電磁誘導するパルス誘導手段と、該パルス誘導手段で電磁誘導したパルスの波形を整形する波形整形手段と、該波形整形手段の出力パルスが内燃機関の作動によるものであるか否かを判定する判定手段とを設けて、該判定手段で判定された前記出力パルスにもとづいて、計数記憶手段に、前記内燃機関の作動開始当初からの作動時間を計数および記憶させ、該計数記憶手段で計数された作動時間を、表示手段に表示させるように構成したので、作業機の内燃機関が実稼働したときのみ、内燃機関の作業開始当初からの積算時間を確実かつ正確に計数および記憶して表示することができ、また、前記作業機や内燃機関の保守，点検などのメンテナンスを、信頼性の高い正確な積算時間のデータを基に実施でき、さらに簡単かつ安価に構成できるものが得られる効果がある。
【００７２】
請求項２の発明によれば、点火パルスを点火装置の外へ迂回させる点火装置内の一部と、該点火装置内の一部の途中に介在され、作業機に対する前記着脱に応じてそれぞれ前記発電コイルから点火用充放電コンデンサへの誘起電圧の供給、遮断をするように連結または連結解除可能なコネクタと、前記点火装置内の一部を流れる点火パルスを電磁誘導するパルス誘導手段と、該パルス誘導手段で電磁誘導したパルスの波形を整形する波形整形手段と、該波形整形手段の出力パルスが内燃機関の作動によるものであるか否かを判定する判定手段とを設けて、該判定手段で判定された前記出力パルスにもとづいて、第１の計数記憶手段に、前記内燃機関の作動開始当初からの作動時間を計数および記憶させ、前記判定手段で判定された前記出力パルスにもとづいて、第１２の計数記憶手段に、リセット操作により任意に設定した時点からの内燃機関の作動時間を計測および記憶させ、前記第１の計数記憶手段または第２の計数記憶手段で計数された作動時間を、表示手段に表示させるように構成したので、任意に設定した時点からの内燃機関の作業時間を、内燃機関の作動開始当初からの作動時間とは別に計数して、これらを選択的に表示することができるものが得られる効果がある。
【００７３】
請求項３の発明によれば、パルス誘導手段および該パルス誘導手段が誘導したパルスを処理するパルス処理回路を設けたプリント基板上に、点火装置内の一部をマウントするように構成したので、積算時間計の全体の形状をコンパクトにまとめて、ローコスト化できるものが得られる効果がある。
【００７７】
請求項４の発明によれば、前記誘起電圧を点火用充放電コンデンサへ導入する回路を分断するように設けられたリード線と、前記点火パルスを迂回させる点火装置内の一部のリード線とを、前記コネクタを介して連結または連結解除可能に構成したことにより、点火装置が出力するパルスをリード線を介して直接積算時間計に取り込むことで、積算時間の計測を高感度にて実現できるものが得られる効果がある。
【図面の簡単な説明】
【図１】この発明の一実施例による内燃機関の積算時間計を示すブロック接続図である。
【図２】図１における内燃機関の積算時間計の具体的構成を一部破断して示す斜視図である。
【図３】この発明の内燃機関の積算時間計と点火制御回路との接続関係を示す回路図である。
【図４】この発明の内燃機関の積算時間計を有するチェンソーを示す斜視図である。
【図５】この発明の他の実施例による内燃機関の積算時間計を示すブロック接続図である。
【図６】この発明の内燃機関の積算時間計の接続構造を示す概念図である。
【図７】この発明の一実施例による内燃機関の積算時間計ユニットを示す斜視図である。
【図８】この発明の他の実施例による内燃機関の積算時間計ユニットを示す斜視図である。
【符号の説明】
１  積算時間計
２  点火装置内の残部
３  点火装置内の一部
４  パルス誘導手段
５  波形整形手段
６  判定手段
７  計数記憶手段
７Ａ  第１の計数記憶手段
７Ｂ  第２の計数記憶手段
８  表示手段
９  パルス処理回路
１０  ダイオード
１１  プリント基板
１６，３２  端子（コネクタ）
２７  点火用充放電コンデンサ
２８  点火コイル
２９  点火プラグ
４０  チェンソー（作業機）
５０リセット手段
６８  リード線
【図１】
0003717545.tif 000002
【図２】
0003717545.tif 000003
【図３】
0003717545.tif 000004
【図４】
0003717545.tif 000005
【図５】
0003717545.tif 000006
【図６】
0003717545.tif 000007
【図７】
0003717545.tif 000008
【図８】
0003717545.tif 000009